(57)【要約】【課題】  安価で、軽量化し器具組立作業性および施工性を向上でき、しかも耐熱性および安全性を有するシリンダユニットを提供する。【解決手段】  シリンダユニット３は、両端にランプフィラメント８を有する直管蛍光ランプ５と、この直管蛍光ランプ５を挿通する透光性のシリンダ６と、直管蛍光ランプ５およびシリンダ６の間に介在された位置決め兼保持部材９とを備えている。シリンダ６は、両端のガラス製シリンダ部６ａとガラス製シリンダ部６ａ間の樹脂製シリンダ部６ｂとで構成され、ガラス製シリンダ部６ａは直管蛍光ランプ５のランプフィラメント８の外周を覆う。  【選択図】        図１
2006324130.tif 000002
【特許請求の範囲】
【請求項１】
両端にランプフィラメントを有する直管ランプと、この直管ランプを挿通する透光性のシリンダと、前記直管ランプおよび前記シリンダの間に介在された位置決め兼保持部材とを備え、
前記シリンダは、両端のガラス製シリンダ部と前記ガラス製シリンダ部間の樹脂製シリンダ部とで構成され、前記ガラス製シリンダ部は前記直管ランプの前記ランプフィラメントの外周を覆うシリンダユニット。  
【請求項２】
前記シリンダは、前記ガラス製シリンダ部と前記樹脂製シリンダ部とに外嵌する筒状の弾性部材で連結した請求項１記載のシリンダユニット。
【請求項３】
前記ガラス製シリンダ部と前記樹脂製シリンダ部との間に軸方向の隙間が形成され、前記位置決め兼保持部材は、前記隙間において前記弾性部材より突出して前記直管ランプの表面に当接するランプ接触部により兼用した請求項２記載のシリンダユニット。
【発明の詳細な説明】
【技術分野】
【０００１】
この発明は、直管ランプをシリンダで保護し、保温し、あるいは防水等する照明器具に適用されるシリンダユニットに関するものである。
【背景技術】
【０００２】
第１の従来例として、例えば防水性を有する直管蛍光灯などの密閉型の照明器具は、図７および図８に示すように、主に直管ランプ５０、シリンダ５１、防水ソケット５２および器具本体５３からなる。そのうち、シリンダユニットは主に直管ランプ５０およびこれを挿通するシリンダ５１で構成される。
【０００３】
シリンダ５１は、ほぼ直管ランプ５０程度の長さであるが、内径はランプ径よりもやや大きいものである。このような密閉された空間において、直管ランプ５０のランプ管端のランプフィラメントの温度が最も高温になるため、また直管ランプ５０や安定器の異常状態でランプフィラメントがかなりの高温になった場合をも考慮して、シリンダ５１は耐熱性の高い材料が求められる。
【０００４】
このため、一般的にはアクリルやポリカーボネイト製の樹脂材料を使用するが、上記の異常状態での異常発熱を考慮すると、ガラス製シリンダが好ましい。
【０００５】
また、防水ソケット５２は、片側が固定側ソケット、他の片側がばねを有する可動側ソケットであり、シリンダ５１の軸方向の一端を可動側ソケットに押し込みながらシリンダ５１および直管ランプ５０を一対の防水ソケット５２に対し着脱することになるが、シリンダ５１と直管ランプ５０が同時に動くように直管ランプ５０とシリンダ５１との間に金具製の位置決め兼保持部材５４を通常介在している。またこの位置決め兼保持部材５４はシリンダ５１に対して直管ランプ５０が中心になるような機能も兼ね備えている。
【０００６】
第２の従来例（例えば特許文献１参照）は、直管ランプに透光性のシリンダを外嵌しシリンダの両端と直管ランプとの間に筒状の弾性キャップを嵌めて連結し、弾性キャップの内面に設けた突起で直管ランプとシリンダとを位置決め兼保持しており、弾性キャップがシリンダと直管ランプとの間の径方向の隙間に介在されないのでその隙間を小さくすることができる。
【特許文献１】特開２００５−２６０２５公報
【発明の開示】
【発明が解決しようとする課題】
【０００７】
第１および第２の従来例は、シリンダを全てガラス製にするとコストが高く、質量が重く、施工性も悪かった。
【０００８】
ランプ保持金具を使用することは、コストアップまたは器具組立において作業性が悪かった。
【０００９】
したがって、この発明の目的は、安価で、軽量化し器具組立作業性および施工性を向上でき、しかも耐熱性および安全性を有するシリンダユニットを提供することである。
【課題を解決するための手段】
【００１０】
この発明のシリンダユニットは、両端にランプフィラメントを有する直管ランプを備える。また直管ランプを挿通する透光性のシリンダを備える。さらに前記直管ランプおよび前記シリンダの間に介在された位置決め兼保持部材を備えている。前記シリンダは、両端のガラス製シリンダ部と前記ガラス製シリンダ部間の樹脂製シリンダ部とで構成され、前記ガラス製シリンダ部は前記直管ランプの前記ランプフィラメントの外周を覆う。  
【００１１】
上記構成において、前記シリンダは、前記ガラス製シリンダ部と前記樹脂製シリンダ部とに外嵌する筒状の弾性部材で連結している。
【００１２】
上記構成において、前記ガラス製シリンダ部と前記樹脂製シリンダ部との間に軸方向の隙間が形成され、前記位置決め兼保持部材は、前記隙間において前記弾性部材より突出して前記直管ランプの表面に当接するランプ接触部により兼用している。
【発明の効果】
【００１３】
この発明のシリンダユニットによれば、シリンダを両端のガラス製シリンダ部とその間の樹脂製シリンダ部とにより形成したため、フィラメントに対する耐熱性および安全性を確保することができるとともに軽量化することができるので、安価にできるとともに、器具組立作業性および施工性を向上できる。
【００１４】
ガラス製シリンダ部と樹脂製シリンダ部とを筒状の弾性部材で連結すると、組立性が良好になる。
【００１５】
位置決め兼保持部材が弾性部材のランプ接触部で兼用できるため、部品点数を削減でき、安価にでき、組立作業性が良好になる。
【発明を実施するための最良の形態】
【００１６】
この発明の第１の実施の形態を図１から図３により説明する。すなわち、この発明のシリンダユニットを適用した防水型照明器具は、器具本体１と、防水ソケット２ａ、２ｂと、透光性のシリンダユニット３で構成されている。
【００１７】
器具本体１は例えばアルミニウム押し出し成形により形成され、両端にエンド板７がパッキンを介してねじ止めされている。器具本体１の上面には取付部４を設け、取付部４により天井等に取付けられる。１４は電源線である。
【００１８】
シリンダユニット３は例えば蛍光ランプを用いた直管ランプ５と、この直管ランプ５とほぼ同長で直管ランプ５を挿通させるシリンダ６と、直管ランプ５およびシリンダ６を相互に位置決め保持する位置決め兼保持部材９を有する。シリンダ６は両端のガラス製シリンダ部６ａとその間の樹脂製シリンダ部６ｂからなり、ガラス製シリンダ部６ａの外径と樹脂製シリンダ部６ｂの内径がほぼ等しく、ガラス製シリンダ部６ａが樹脂製シリンダ部６ｂ内に嵌合し透明の接着剤により接着されて連結されている。ガラス製シリンダ部６ａは直管ランプ５の両端部に位置し、直管ランプ５のランプフィラメント８を軸方向のほぼ中央位置で被覆するように例えば約８０ｍｍ程度の長さにしている。
【００１９】
位置決め兼保持部材９は、ガラス製シリンダ部６ａと直管ランプ５との間に取付けられている。図３に示すように、位置決め兼保持部材９はばね性金属例えばステンレスを用いた薄板１２に幅方向に長い長孔１０を薄板１２の長手方向に多数形成し、長孔１０間のつなぎ部１１を略くの字形に折曲している。この薄板１２を図（ｃ）のようにわん曲させてほぼ円筒状にまるめ、直管ランプ５の両端の外周面とガラス製シリンダ部６ａの端部の内周面との間に挿入して両部材間に介在させている。これによりつなぎ部１１の頂部が直管ランプ５の表面に当接し薄板１２の両側部がガラス製シリンダ部６ａの内周面に当接して直管ランプ５とガラス製シリンダ部６ｂとを位置決め保持している。
【００２０】
防水ソケット２ａ、２ｂは、一方の防水ソケット２ａが固定側ソケットであり、他方の防水ソケット２ｂが可動側ソケットである。各防水ソケット２ａ、２ｂはシリンダ６の端部のガラス製シリンダ部６ａを嵌合させる嵌合凹部を前面に有し、嵌合凹部内にランプ口金５ｂのランプピン５ａと接触する接続部を有する。嵌合凹部にはガラス製シリンダ部６ａよりもやや小さい内径をもったリング状のパッキン１３が取付けられており、これによってガラスシリンダ部６ａの外周面を防水嵌合し、シリンダ６と防水ソケット２ａ、２ｂ内の防水が達成される。シリンダユニット３の一端を防水ソケット２ｂの嵌合凹部に押し込みながら、他端を防水ソケット２ａの嵌合凹部に嵌合してシリンダユニット３の着脱が行われる。
【００２１】
この実施の形態によれば、直管ランプ５の端部にガラス製シリンダ部６ａを設け、その間を樹脂製シリンダ部６ｂとしたため、安価で軽量化でき、器具施工性を向上することができる。
【００２２】
ガラス製シリンダ部６ａはランプフィラメント８の外側も覆っているためランプフィラメント８が異常発熱した場合でも、従来の全ガラスタイプと同等の耐熱性および安全性を有する。さらにガラス製シリンダ部６ａと樹脂製シリンダ部６ｂとを嵌合し透明接着剤で接着したため、全てガラス製のシリンダとほぼ同等の発光効率を有している。  
【００２３】
この発明の第２の実施の形態を図４により説明する。すなわち、第１の実施の形態において、ガラス製シリンダ部６ａと樹脂製シリンダ部６ｂとをほぼ同径とし、両部材間を筒状の弾性部材たとえば接続ゴム、詳しくは例えば耐熱性シリコンパッキン製の接続ゴム１５で連結している。接続ゴム１５の内径をほぼガラス製シリンダ部６ａおよび樹脂製シリンダ部６ｂの外径に等しくしてこれらを両端より圧入して連結している。この接続ゴム１５の軸方向のほほ中央部の内周面に当たり部１６を突設し、ガラス製シリンダ部６ａおよび樹脂製シリンダ部６ｂの各端部を接続ゴム１５の両端から圧入したときに当たり部１６に当たることにより、ガラス製シリンダ部６ａと樹脂製シリンダ部６ｂとの間に軸方向の一定の隙間が形成され、これによって一対のガラス製シリンダ部６ａの端部間の長さ、すなわちガラス製シリンダ部６ａ、樹脂製シリンダ部６ｂおよび接続ゴム１５を含むシリンダ６の全長が一定となるようにしている。
【００２４】
この発明の第３の実施の形態を図５により説明する。すなわち、第２の実施の形態において、接続ゴム１５内のガラス製シリンダ部６ａと樹脂製シリンダ部６ｂ間の隙間を形成する当たり部を兼ねて直管ランプ５の表面に当接するランプ接触部１７を突設している。すなわち、接続ゴム１５においてガラス製シリンダ部６ａと樹脂製シリンダ部６ｂを圧入嵌合する部分以外のランプ接触部１７の内径を直管ランプ５の外径よりもわずかに小さくしている。またランプ接触部１７のランプ軸方向の角部はテーパ部１８を形成し、直管ランプ５をスムースに挿入できるようにしている。この直管ランプ５が挿通される際のランプ接触部１７の摩擦抵抗はガラス製シリンダ部６ａが圧入される際の防水パッキン１３の摩擦抵抗よりも大きい。したがって、防水ソケット２ａ、２ｂに直管ランプ５およびシリンダ６を装着する際に防水パッキン１３の摩擦抵抗によって直管ランプ５とシリンダ６の相対位置がずれるのを防止できる。
【００２５】
この実施の形態によれば、ランプ接触部１７が位置決め兼保持部材を兼用しているため、位置決め兼保持部材を必要としないので部品点数を削減し、安価に器具を作製し、器具組立作業性を向上することができる。
【００２６】
この発明の第４の実施の形態を図６により説明する。すなわち、第３の実施の形態において、ランプ接触部１７の周方向全周または一部に延びた突条１９例えばリブを軸方向に複数形成している。直管ランプ５が挿通される際のランプ接触部１７の突条１９の摩擦抵抗はガラス製シリンダ部６ａが圧入される際の防水パッキン１３の摩擦抵抗よりも大きくなるようにしている。また突条１９の高さは直管ランプ５の外径のばらつきを吸収できるように約１．５ｍｍ程度としている。
【図面の簡単な説明】
【００２７】
【図１】この発明の第１の実施の形態を示す部分拡大正面図である。
【図２】照明器具を示し、（ａ）は正面図、（ｂ）は底面図、（ｃ）は側面図である。
【図３】（ａ）は位置決め兼保持部材の展開図、（ｂ）はその側面図、（ｃ）は湾曲した状態の正面図である。
【図４】第２の実施の形態の部分拡大正面図である。
【図５】第３の実施の形態の部分拡大正面図である。
【図６】第４の実施の形態の部分拡大正面図である。
【図７】（ａ）は第１の従来例の正面図、（ｂ）はその底面図、（ｃ）は側面図である。
【図８】その部分拡大正面図である。
【符号の説明】
【００２８】
１    器具本体
２ａ  可動側ソケット
２ｂ  固定側ソケット    
３    シリンダユニット
５    直管ランプ
６    シリンダ  ６ａ  ガラス製シリンダ部  
６ｂ  樹脂製シリンダ部
８    ランプフィラメント
９    位置決め保持部材
１５  接続ゴム
１７  ランプ接触部    
１８  テーパ部
１９  突条  
【図１】
2006324130.tif 000003
【図２】
2006324130.tif 000004
【図３】
2006324130.tif 000005
【図４】
2006324130.tif 000006
【図５】
2006324130.tif 000007
【図６】
2006324130.tif 000008
【図７】
2006324130.tif 000009
【図８】
2006324130.tif 000010